【手続補正書】
【提出日】平成20年3月10日(2008.3.10)
【手続補正１】
【補正対象書類名】明細書
【補正対象項目名】特許請求の範囲
【補正方法】変更
【補正の内容】
【特許請求の範囲】
【請求項１】  少なくとも第１の情報処理装置、第２の情報処理装置、及び出力装置を含む通信システムであって、
前記第１の情報処理装置は、
前記第２の情報処理装置に記憶されているデータの中から少なくとも１つのデータを選択する選択手段と、
前記選択手段により選択されたデータを出力させるための出力指示を前記出力装置に対して送信する指示送信手段と、
を備え、
前記出力装置は、
前記指示送信手段により送信された指示に基づいて、前記第２の情報処理装置に記憶されているデータであって前記選択手段により選択されたデータの送信を、前記第２の情報処理装置に対して要求する要求手段と、
前記要求手段による要求に応じて前記第２の情報処理装置から送信されたデータを受信するデータ受信手段と、
前記データ受信手段が受信したデータを出力する出力手段と、
前記出力手段によるデータの出力結果を、前記第２の情報処理装置に対して通知する結果通知手段と、
を備え、
前記第２の情報処理装置は、
前記要求手段により前記第２の情報処理装置に記憶されているデータの送信を要求された場合に、当該要求されたデータを前記第１の情報処理装置を介さずに前記出力装置に対して送信するデータ送信手段と、
前記結果通知手段によりデータの出力結果が通知された場合に、当該出力結果に応じて課金処理を行う課金手段と、
を備えることを特徴とする通信システム。
【請求項２】  前記第１の情報処理装置は、
前記第２の情報処理装置に記憶されているデータのサムネイル画像を表示する表示手段を更に備え、
前記選択手段は、前記表示手段に表示されたサムネイル画像に基づくユーザからの指示に従ってデータを選択することを特徴とする請求項１に記載の通信システム。
【請求項３】  前記第１の情報処理装置は、
前記選択手段によりデータが選択された場合に、当該選択されたデータを示す識別情報を前記第２の情報処理装置から受信する識別情報受信手段を更に備え、
前記指示送信手段は、前記識別情報受信手段が受信した識別情報を含む前記出力指示を前記出力装置に対して送信することを特徴とする請求項１または２に記載の通信システム。
【請求項４】  前記出力装置は、
前記データ受信手段が受信したデータを記憶する記憶手段を更に備え、
前記出力手段は、前記記憶手段に記憶されているデータを読み出して出力することを特徴とする請求項１から３のいずれか１項に記載の通信システム。
【請求項５】  前記記憶手段は、前記出力手段によりデータが出力された後もデータを記憶しておき、前記出力手段は、前記記憶手段に記憶されているデータを繰り返し読み出して出力することが可能であって、
前記結果通知手段は、前記出力手段がデータの出力を行う度に、当該データの出力結果を前記第２の情報処理装置に対して通知することを特徴とする請求項４に記載の通信システム。
【請求項６】  前記出力装置は、
前記記憶手段に記憶されているデータのうち、当該記憶手段に記憶されてから所定の時間が経過したデータを削除する削除手段を更に備えることを特徴とする請求項４または５に記載の通信システム。
【請求項７】  少なくとも第１の情報処理装置、第２の情報処理装置、及び出力装置を含む通信システムであって、
前記第１の情報処理装置は、
前記第２の情報処理装置に記憶されているデータの中から少なくとも１つのデータを選択する選択手段と、
前記選択手段により選択されたデータを出力させるための出力指示を前記出力装置に対して送信する指示送信手段と、
を備え、
前記出力装置は、
前記指示送信手段により送信された指示に基づいて、前記第２の情報処理装置に記憶されているデータであって前記選択手段により選択されたデータの送信を、前記第２の情報処理装置に対して要求する要求手段と、
前記出力装置に対応する識別情報を前記第２の情報処理装置に通知する識別情報通知手段と、
前記要求手段による要求に応じて前記第２の情報処理装置から送信されたデータを受信するデータ受信手段と、
前記データ受信手段が受信したデータを出力する出力手段と、
を備え、
前記第２の情報処理装置は、
前記要求手段により前記第２の情報処理装置に記憶されているデータの送信を要求された場合に、前記識別情報通知手段により通知される識別情報に基づいて、前記出力装置に対するデータの送信が可能であるか否かを判定する判定手段と、
前記判定手段による判定の結果、前記出力装置に対するデータの送信が可能であると判定された場合に、当該出力装置に対して前記要求手段により要求されたデータを送信するデータ送信手段と、
を備えることを特徴とする通信システム。
【請求項８】  前記識別情報通知手段が通知する識別情報とは前記出力装置の種別を示す情報であって、
前記判定手段は、前記識別情報通知手段により通知される識別情報に基づいて、前記出力装置が所定の種別の出力装置であるか否かを判定し、当該出力装置が前記所定の種別の出力装置である場合に、当該出力装置に対するデータの送信が可能であると判定することを特徴とする請求項７に記載の通信システム。
【請求項９】  前記第２の情報処理装置は、
当該第２の情報処理装置からデータを送信することが許可されている出力装置を示す識別情報を管理する管理手段を更に備え、
前記判定手段は、前記識別情報通知手段により通知された識別情報と、前記管理手段により管理されている識別情報とが一致する場合に、前記データを要求した出力装置に対するデータの送信が可能であると判定することを特徴とする請求項７に記載の通信システム。
【請求項１０】  少なくとも第１の情報処理装置、第２の情報処理装置、及び出力装置を含む通信システムの制御方法であって、
前記第１の情報処理装置において、
前記第２の情報処理装置に記憶されているデータの中から少なくとも１つのデータを選択する選択工程と、
前記選択工程で選択されたデータを出力させるための出力指示を前記出力装置に対して送信する指示送信工程と、
を備え、
前記出力装置において、
前記指示送信工程で送信された指示に基づいて、前記第２の情報処理装置に記憶されているデータであって前記選択工程で選択されたデータの送信を、前記第２の情報処理装置に対して要求する要求工程と、
前記要求工程における要求に応じて前記第２の情報処理装置から送信されたデータを受信するデータ受信工程と、
前記データ受信工程で受信したデータを出力する出力工程と、
前記出力工程におけるデータの出力結果を、前記第２の情報処理装置に対して通知する結果通知工程と、
を備え、
前記第２の情報処理装置において、
前記要求工程で前記第２の情報処理装置に記憶されているデータの送信を要求された場合に、当該要求されたデータを前記第１の情報処理装置を介さずに前記出力装置に対して送信するデータ送信工程と、
前記結果通知工程でデータの出力結果が通知された場合に、当該出力結果に応じて課金処理を行う課金工程と、
を備えることを特徴とする通信システムの制御方法。
【請求項１１】  少なくとも第１の情報処理装置、第２の情報処理装置、及び出力装置を含む通信システムの制御方法であって、
前記第１の情報処理装置において、
前記第２の情報処理装置に記憶されているデータの中から少なくとも１つのデータを選択する選択工程と、
前記選択工程で選択されたデータを出力させるための出力指示を前記出力装置に対して送信する指示送信工程と、
を備え、
前記出力装置において、
前記指示送信工程で送信された指示に基づいて、前記第２の情報処理装置に記憶されているデータであって前記選択工程で選択されたデータの送信を、前記第２の情報処理装置に対して要求する要求工程と、
前記出力装置に対応する識別情報を前記第２の情報処理装置に通知する識別情報通知工程と、
前記要求工程における要求に応じて前記第２の情報処理装置から送信されたデータを受信するデータ受信工程と、
前記データ受信工程で受信したデータを出力する出力工程と、
を備え、
前記第２の情報処理装置において、
前記要求工程で前記第２の情報処理装置に記憶されているデータの送信を要求された場合に、前記識別情報通知工程で通知される識別情報に基づいて、前記出力装置に対するデータの送信が可能であるか否かを判定する判定工程と、
前記判定工程における判定の結果、前記出力装置に対するデータの送信が可能であると判定された場合に、当該出力装置に対して前記要求工程で要求されたデータを送信するデータ送信工程と、
を備えることを特徴とする通信システムの制御方法。
【請求項１２】  少なくとも第１の情報処理装置、第２の情報処理装置、及び出力装置を含む通信システムを制御するためのプログラムであって、
前記第１の情報処理装置において、
前記第２の情報処理装置に記憶されているデータの中から少なくとも１つのデータを選択する選択工程と、
前記選択工程で選択されたデータを出力させるための出力指示を前記出力装置に対して送信する指示送信工程と、
を備え、
前記出力装置において、
前記指示送信工程で送信された指示に基づいて、前記第２の情報処理装置に記憶されているデータであって前記選択工程で選択されたデータの送信を、前記第２の情報処理装置に対して要求する要求工程と、
前記要求工程における要求に応じて前記第２の情報処理装置から送信されたデータを受信するデータ受信工程と、
前記データ受信工程で受信したデータを出力する出力工程と、
前記出力工程におけるデータの出力結果を、前記第２の情報処理装置に対して通知する結果通知工程と、
を備え、
前記第２の情報処理装置において、
前記要求工程で前記第２の情報処理装置に記憶されているデータの送信を要求された場合に、当該要求されたデータを前記第１の情報処理装置を介さずに前記出力装置に対して送信するデータ送信工程と、
前記結果通知工程でデータの出力結果が通知された場合に、当該出力結果に応じて課金処理を行う課金工程と、
を備えることを特徴とするプログラム。
【請求項１３】  少なくとも第１の情報処理装置、第２の情報処理装置、及び出力装置を含む通信システムを制御するためのプログラムであって、
前記第１の情報処理装置において、
前記第２の情報処理装置に記憶されているデータの中から少なくとも１つのデータを選択する選択工程と、
前記選択工程で選択されたデータを出力させるための出力指示を前記出力装置に対して送信する指示送信工程と、
を備え、
前記出力装置において、
前記指示送信工程で送信された指示に基づいて、前記第２の情報処理装置に記憶されているデータであって前記選択工程で選択されたデータの送信を、前記第２の情報処理装置に対して要求する要求工程と、
前記出力装置に対応する識別情報を前記第２の情報処理装置に通知する識別情報通知工程と、
前記要求工程における要求に応じて前記第２の情報処理装置から送信されたデータを受信するデータ受信工程と、
前記データ受信工程で受信したデータを出力する出力工程と、
を備え、
前記第２の情報処理装置において、
前記要求工程で前記第２の情報処理装置に記憶されているデータの送信を要求された場合に、前記識別情報通知工程で通知される識別情報に基づいて、前記出力装置に対するデータの送信が可能であるか否かを判定する判定工程と、
前記判定工程における判定の結果、前記出力装置に対するデータの送信が可能であると判定された場合に、当該出力装置に対して前記要求工程で要求されたデータを送信するデータ送信工程と、
を備えることを特徴とするプログラム。
【請求項１４】  少なくとも第１の情報処理装置、第２の情報処理装置、及び出力装置を含む通信システムを制御するためのプログラムを記憶した、コンピュータ読み取り可能な記憶媒体であって、
前記第１の情報処理装置において、
前記第２の情報処理装置に記憶されているデータの中から少なくとも１つのデータを選択する選択工程と、
前記選択工程で選択されたデータを出力させるための出力指示を前記出力装置に対して送信する指示送信工程と、
を備え、
前記出力装置において、
前記指示送信工程で送信された指示に基づいて、前記第２の情報処理装置に記憶されているデータであって前記選択工程で選択されたデータの送信を、前記第２の情報処理装置に対して要求する要求工程と、
前記要求工程における要求に応じて前記第２の情報処理装置から送信されたデータを受信するデータ受信工程と、
前記データ受信工程で受信したデータを出力する出力工程と、
前記出力工程におけるデータの出力結果を、前記第２の情報処理装置に対して通知する結果通知工程と、
を備え、
前記第２の情報処理装置において、
前記要求工程で前記第２の情報処理装置に記憶されているデータの送信を要求された場合に、当該要求されたデータを前記第１の情報処理装置を介さずに前記出力装置に対して送信するデータ送信工程と、
前記結果通知工程でデータの出力結果が通知された場合に、当該出力結果に応じて課金処理を行う課金工程と、
を備えることを特徴とするプログラムを記憶した記憶媒体。
【請求項１５】  少なくとも第１の情報処理装置、第２の情報処理装置、及び出力装置を含む通信システムを制御するためのプログラムを記憶した、コンピュータ読み取り可能な記憶媒体であって、
前記第１の情報処理装置において、
前記第２の情報処理装置に記憶されているデータの中から少なくとも１つのデータを選択する選択工程と、
前記選択工程で選択されたデータを出力させるための出力指示を前記出力装置に対して送信する指示送信工程と、
を備え、
前記出力装置において、
前記指示送信工程で送信された指示に基づいて、前記第２の情報処理装置に記憶されているデータであって前記選択工程で選択されたデータの送信を、前記第２の情報処理装置に対して要求する要求工程と、
前記出力装置に対応する識別情報を前記第２の情報処理装置に通知する識別情報通知工程と、
前記要求工程における要求に応じて前記第２の情報処理装置から送信されたデータを受信するデータ受信工程と、
前記データ受信工程で受信したデータを出力する出力工程と、
を備え、
前記第２の情報処理装置において、
前記要求工程で前記第２の情報処理装置に記憶されているデータの送信を要求された場合に、前記識別情報通知工程で通知される識別情報に基づいて、前記出力装置に対するデータの送信が可能であるか否かを判定する判定工程と、
前記判定工程における判定の結果、前記出力装置に対するデータの送信が可能であると判定された場合に、当該出力装置に対して前記要求工程で要求されたデータを送信するデータ送信工程と、
を備えることを特徴とするプログラムを記憶した記憶媒体。
【手続補正２】
【補正対象書類名】明細書
【補正対象項目名】０００５
【補正方法】変更
【補正の内容】
【０００５】
【課題を解決するための手段】
上記の目的を達成するために本発明の通信システムは、少なくとも第１の情報処理装置、第２の情報処理装置、及び出力装置を含む通信システムであって、前記第１の情報処理装置は、前記第２の情報処理装置に記憶されているデータの中から少なくとも１つのデータを選択する選択手段と、前記選択手段により選択されたデータを出力させるための出力指示を前記出力装置に対して送信する指示送信手段と、を備え、前記出力装置は、前記指示送信手段により送信された指示に基づいて、前記第２の情報処理装置に記憶されているデータであって前記選択手段により選択されたデータの送信を、前記第２の情報処理装置に対して要求する要求手段と、前記要求手段による要求に応じて前記第２の情報処理装置から送信されたデータを受信するデータ受信手段と、前記データ受信手段が受信したデータを出力する出力手段と、前記出力手段によるデータの出力結果を、前記第２の情報処理装置に対して通知する結果通知手段と、を備え、前記第２の情報処理装置は、前記要求手段により前記第２の情報処理装置に記憶されているデータの送信を要求された場合に、当該要求されたデータを前記第１の情報処理装置を介さずに前記出力装置に対して送信するデータ送信手段と、前記結果通知手段によりデータの出力結果が通知された場合に、当該出力結果に応じて課金処理を行う課金手段と、を備えることを特徴とする。
【手続補正３】
【補正対象書類名】明細書
【補正対象項目名】０００６
【補正方法】変更
【補正の内容】
【０００６】
また、本発明の通信システムは、少なくとも第１の情報処理装置、第２の情報処理装置、及び出力装置を含む通信システムであって、前記第１の情報処理装置は、前記第２の情報処理装置に記憶されているデータの中から少なくとも１つのデータを選択する選択手段と、前記選択手段により選択されたデータを出力させるための出力指示を前記出力装置に対して送信する指示送信手段と、を備え、前記出力装置は、前記指示送信手段により送信された指示に基づいて、前記第２の情報処理装置に記憶されているデータであって前記選択手段により選択されたデータの送信を、前記第２の情報処理装置に対して要求する要求手段と、前記出力装置に対応する識別情報を前記第２の情報処理装置に通知する識別情報通知手段と、前記要求手段による要求に応じて前記第２の情報処理装置から送信されたデータを受信するデータ受信手段と、前記データ受信手段が受信したデータを出力する出力手段と、を備え、前記第２の情報処理装置は、前記要求手段により前記第２の情報処理装置に記憶されているデータの送信を要求された場合に、前記識別情報通知手段により通知される識別情報に基づいて、前記出力装置に対するデータの送信が可能であるか否かを判定する判定手段と、前記判定手段による判定の結果、前記出力装置に対するデータの送信が可能であると判定された場合に、当該出力装置に対して前記要求手段により要求されたデータを送信するデータ送信手段と、を備えることを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】０１４０
【補正方法】変更
【補正の内容】
【０１４０】
【発明の効果】
本発明によれば、第２の情報処理装置に記憶されているデータを出力する際に、第１の情報処理装置において選択されたデータを、当該第１の情報処理装置を介さずに第２の情報処理装置から出力装置に送信し、出力装置においてデータを出力するとともに、その出力結果を出力装置が第２の情報処理装置に通知することにより第２の情報処理装置において課金処理を行うことができる。
【手続補正８】
【補正対象書類名】明細書
【補正対象項目名】０１４１
【補正方法】変更
【補正の内容】
【０１４１】
また、本発明によれば、第２の情報処理装置に記憶されているデータを出力する際に、第１の情報処理装置において選択されたデータの送信を出力装置が第２の情報処理装置に対して要求し、第２の情報処理装置は要求されたデータの送信が可能であるか否かを判定し、この判定の結果に基づいて、第２の情報処理装置が出力装置に対してデータを送信することができる。
【手続補正９】
【補正対象書類名】明細書
【補正対象項目名】０１４２
【補正方法】削除
【補正の内容】